(57)【要約】【課題】脱臭装置として、脱臭をより効果あらしめるためには、イオン発生器のイオン風を多く発生させることが要求されるが、前記従来の先行技術のものは、針状電極と筒状電極で形成されたもので、これではイオン風を多く発生することが難しかったものである。  本発明のイオン発生器は、上記の課題を解決することを目的としたものである。【解決手段】ケース４の前面にイオン吹き出し口６を設け、このイオン吹き出し口６にイオン風が流れるように吹き出し口６にプラス電極を形成する網状電極３を隣接して設け、この網状電極３の略中心軸線上に対向するようにマイナス電極の針状電極１の先端が位置するように対向する放電電極を設け、対向電極に高電圧を印加することにより発生する放電気流風を用いるイオン発生器。【選択図】図６
2013225379.tif 000002
【特許請求の範囲】
【請求項１】
ケースの前面にイオン吹き出し口を設け、このイオン吹き出し口にイオン風が流れるように吹き出し口にプラス電極を形成する網状電極を隣接して設け、この網状電極の略中心軸線上に対向するようにマイナス電極の針状電極の先端が位置するように対向する放電電極を設け、対向電極に高電圧を印加することにより発生する放電気流風を用いることを特徴とするイオン発生器。
【請求項２】
網状電極のメッシュ数を１〜８メッシュにしたことを特徴とする請求項１に記載のイオン発生器。
【発明の詳細な説明】
【技術分野】
【０００１】
本発明は、イオン発生機に関し、詳しくは、メッシュ電極と針状電極との組み合わせからなる放電電極に、電圧を印加することにより発生する放電気流風を利用したイオン発生器に関するものであり、且つ、このイオン発生器を利用することにより、空気清浄機、消臭・殺菌装置を構成することができるものである。
【背景技術】
【０００２】
従来、筒状電極とこの筒状電極の一方の開口部付近の外側に配置された針状電極とによって放電電極を形成し、この放電電極に高電圧を印加することで前記放電電極内が帯電してク−ロン力とコロナ放電による放電エネルギ−とによってイオン及びオゾンを含む風を発生させることができ、且つこの風は前記筒状電極の他方の開口部から吹き出すように設けられる一方、前記放電電極を筒状体の内部に配設するとともに、この放電電極の前後または一方には消臭フィルタ−を配置し、この消臭フィルタ−は樹脂製の不織布と樹脂製のフィルムとの間に消臭剤と吸水性ポリマ−とが含有されたパルプを介在させて形成されたシ−ト材によってハニカム状に形成されている脱臭装置（例えば、特許文献１参照）が存在している。
【先行技術文献】
【特許文献】
【０００３】
【特許文献１】特許第３００７３１１号公報（特許請求の範囲の欄、発明の詳細な説明の欄、及び図１〜図７を参照）
【発明の概要】
【発明が解決しようとする課題】
【０００４】
しかしながら前記従来の脱臭装置は、次のような欠点をもっている。
脱臭装置として、脱臭をより効果あらしめるためには、イオン発生器のイオン風を多く発生させることが要求されるが、前記従来の先行技術のものは、針状電極と筒状電極で形成されたもので、これではイオン風を多く発生することが難しかったものである。
本発明のイオン発生器は、上記の欠点を解決することを目的としたものである。
【課題を解決するための手段】
【０００５】
本発明の第１発明は、請求項１に記載された通りのイオン発生器であり、次のようなものである。
ケースの前面にイオン吹き出し口を設け、このイオン吹き出し口にイオン風が流れるように吹き出し口にプラス電極を形成する網状電極を隣接して設け、この網状電極の略中心軸線上に対向するようにマイナス電極の針状電極の先端が位置するように対向する放電電極を設け、対向電極に高電圧を印加することにより発生する放電気流風を用いる構成である。
【０００６】
本発明の第２発明は、請求項２に記載された通りのイオン発生器であり、次のようなものである。
請求項１に記載の発明に加えて、網状電極のメッシュ数を１〜８メッシュにする構成である。
【発明の効果】
【０００７】
本発明に係るイオン発生器は、上記説明のような構成を有するので、以下に記載する効果を奏する。
（１）従来の針状電極と筒状電極で構成したイオン発生器により発生できるイオン風と比較して、本発明の針状電極と網状電極で構成したイオン発生器は、約２倍のイオン風を発生することができる。
（２）網状電極は各メッシュの網標準品（市販品）を使用することができ、しかも網なので、筒状電極、スリット電極と比較して加工が簡単にできる。
（３）構造が簡単であるので、掃除やメンテナンスが容易である。
【図面の簡単な説明】
【０００８】
【図１】本発明のマイナス電極を針状電極に、プラス電極を網状電極にして形成したコロナ放電によるイオン風の発生器を示す概略説明図である。
【図２】本発明のプラス電極の網状電極側から見たところを示す概略平面図である。
【図３】従来のマイナス電極を針状電極に、プラス電極を筒状電極にして形成したコロナ放電によるイオン風の発生器を示す概略説明図である。
【図４】従来のプラス電極の筒状電極側からみたところを示す概略平面図である。
【図５】本発明の具体的な一実施例を示す概略正面図である。
【図６】図５の概略平面図である。
【図７】本発明のイオン風の吹き出し口の形状を扇形にした他の実施例で、（Ａ）は概略正面図、（Ｂ）は概略右側面図、（Ｃ）は電極部を示す概略右側面図である。
【発明を実施するための形態】
【０００９】
ケースの前面にイオン吹き出し口を設け、このイオン吹き出し口にイオン風が流れるように吹き出し口にプラス電極を形成する１〜８メッシュの網状電極を隣接して設け、この網状電極の略中心軸線上に対向するようにマイナス電極の針状電極の先端が位置するように対向する放電電極を設け、対向電極に高電圧を印加することにより発生する放電気流風を用いる発生器である。
【実施例】
【００１０】
以下、本発明の実施例について図面に基づいて説明する。
図１は、本発明のイオン発生器を示す概略説明図、図２は図１における概略平面図である。
先ず、図３、図４に基づいて一般的なコロナ放電によるイオン風の発生について概略説明すると、この図３、図４に示す従来例のイオン発生器は、二つの電極、すなわちマイナスの針状電極１と、プラスの筒状電極２の間に高電圧を加えるとコロナ放電が発生する。この二つの電極のうち一方のマイナスの針状電極１側からプラスの筒状電極２側に高電圧を加えると、コロナ放電によりイオン風が発生し、イオン風は針状電極１側から筒状電極２方向に流れる。なお、筒状電極２で発生するコロナ放電の大きさは、エッジの径（エッジ部分）の面積で決まるものである。
従って、解決しなければならない点は、プラス電極に要求される能力はイオン風を多く発生させることと、発生したイオン風を円滑に通過させ、前面に吹き出させることである。
【００１１】
次に、本発明のイオン発生器について、図１、図２に基づいて説明する。
従来例と同様に、マイナス電極側は同一の針状電極１にし、プラス電極側は図示するように網状電極３を採用することで、イオン風を効率良く発生させると同時に発生したイオン風を円滑に前面へ吹き出させることができるようにした構成である。
すなわち、網状電極３で発生するコロナ放電は、網全体に発生することから放電量はメッシュの数で決まる。
ここで、プラス電極に従来例の円筒状電極２を採用したものと、本願発明の網状電極３を採用したものとのイオン風（吹き出し量）の比較実験した結果を表１に示す
【表１】
2013225379.tif 000003
すなわち、実験例として２０ｍｍ四方の空間において、プラス電極に本願発明の網と従来例の円筒を使用し、イオン風の発生量を測定し、比較した結果である。
この空間を２０ｍｍ四方として理由は、円筒電極において、一対のコロナ放電が最適電圧で安定する寸法であるからである。
マイナスの針状電極１とプラスの網状電極３の位置関係は針状電極１を網状電極３の格子の中心に配置し、均一な放電を行った。従って、網のメッシュの放電部分は、全９面（図２の実施例の場合）となる。
測定器は、市販されている共立電子株式会社製エアーイオンカウンターＫＥＣ−９９０型を使用し測定したものである。
放電する部分は、本願発明の網状電極３の場合と従来例の円筒状電極１の場合では、約２倍のイオン量が発生するものであることが理解できる。
【００１２】
以上のように、網状電極３の優位性は証明できたものと考える。
しかも、電圧、電流もコロナ放電が可能なものとして極く普通に用いられるもので良いし、電源の種類は、直流、脈流、交流等で殆んどが使用可能である。
さらに、網状電極３の形状として、編目の寸法は任意であり、イオン風の気流発生の要求条件に対応できるし、網の形状も平編み状、球状、ドーム状等、任意の形状にできる。
なお、プラスの針状電極の形状としては、円錐形、多角錐など鋭意な形状にでき、寸法も気流発生の要求条件により任意の形状にすることができる。
さらに、針状電極１の数も要求条件により任意に決めることができる。
また、網状電極３と針状電極１の材質については、通電できるものであれば殆んどのものが可能であり、例えば、白金、金、銀、チタン、ステンレス、炭素繊維、導電性プラスチック等、さらに導電性塗料の塗装を行った各種材料が考えられる。
ここで、イオン風とプラス電極の関係について言及すると、イオン風の強さは、コロナ放電の強さに比例する。コロナ放電によるイオン風の風量は、一定範囲内では面電極の大きさに比例する。コロナ放電によるコロナ風の流れは面電極の開口面が大きいほど空気抵抗が小さく、流れ易いという特徴がある。
なお、実験の結果、網状電極３のメッシュは１〜８メッシュが良好なイオン量の発生機能である。そのうちでも一対向のコロナ放電では３メッシュが最適であることが判明した。
【００１３】
次に、図５、図６の具体的な実施例について、簡単に説明する。
ケース４内に、コロナ放電を可能にしたマイナス電極に針状電極１をプラス（ケース接地）に金属製の網状電極３を図示のように複数列（図示のものは２列）設け、ケース４の手前側に設けた一方の網状電極３を支持するように補強用、及び子供等が網状電極３に触れないように安全用のスリット部を形成するように桟５を設けたもので、この桟５のエッジは円弧の面取りを施してある。
このスリット部を形成した部分が吹き出し口６になるものである。
また図７に示したものは、イオン風の吹き出し口の形状を扇形にしたもので、その他の構成は前記したものと同一である。
【産業上の利用可能性】
【００１４】
脱臭装置、消臭装置、オゾン発生器、空気清浄機等にも利用することができる。
【符号の説明】
【００１５】
１・・・・針状電極
２・・・・円筒状電極
３・・・・網状電極
４・・・・ケース
５・・・・桟
６・・・・吹き出し口
【図１】
2013225379.tif 000004
【図２】
2013225379.tif 000005
【図３】
2013225379.tif 000006
【図４】
2013225379.tif 000007
【図５】
2013225379.tif 000008
【図６】
2013225379.tif 000009
【図７】
2013225379.tif 000010